(57)【要約】【課題】測定対象の人の発汗を検知できると共に、人の睡眠状態を検知することができる人の生理的状態の表示装置を提供する。【解決手段】定在波検知部は、周波数掃引されたレーダー波を外部に送信し、外部の測定対象の人にて反射した反射波を送信波長に基づく一定距離だけ離隔した２点にて検出し、送信波及び受信波から合成される定在波を検知する。そして、距離スペクトル演算部は、前記定在波の強度の周波数分布から、距離スペクトルを求め、差分検出部が、前記距離スペクトルから、基準時の距離スペクトルを減算して、差分距離スペクトルを求める。汗検知部は、得られた差分距離スペクトルの位相成分の微小変化により呼吸波形を検知し、呼吸波形の谷部又は山部の経時的な上昇により、発汗を検知する。また、呼吸数の変動の大きさから睡眠状態（浅い又は深い）を検知する。【選択図】図４
2018122076.tif 000002
【特許請求の範囲】
【請求項１】
測定対象の人の睡眠状態及び呼吸波形を検知する検知部と、
発光光の波長を変更できるＬＥＤ光源と、
前記検知部が検知した睡眠状態と前記呼吸波形の変動により把握した汗の状態に応じて、前記ＬＥＤ光源の発光光の波長を調整する制御部と、
を有することを特徴とする人の生理的状態の表示装置。
【発明の詳細な説明】
【技術分野】
【０００１】
本発明は、測定対象の人の汗を検知すると共に、呼吸数の検知により人の睡眠状態を検知することができる人の生理的状態の表示装置に関する。
【背景技術】
【０００２】
従来、介護施設等において、ベッド上に寝ている被介護者がおむつの中に排尿してしまったことを、その時点で検知する手段は存在しなかった。よって、介護者は、被介護者の不快感を解消し、清潔に保つには、定期的に被介護者のおむつを点検又は交換するしか、方法がなかった。また、従来、洗濯物の乾燥の度合いを測るには、洗濯後の乾燥中の衣類にさわってみて、触感で検知するしか方法がなかった。従って、連続的に水分の変化を測定し、対象物の水分に関する状態の変化を、遠隔場所にて、経時的に検知することはできなかった。
【０００３】
特許文献１には、電波センサから舗装路面に向けて電波を送信し、反射面からの反射波を前記電波センサで受信し、電波を送信してから受信するまでの時間を使用して、電波センサから反射面までの距離を算出すると共に、反射波の反射強度を算出し、前記反射面までの距離から、反射面の高さを求め、反射強度から、舗装路面の状態が湿潤、完遂、凍結のいずれであるかを判定するシステムが開示されている。
【０００４】
また、特許文献２には、定在波レーダーを使用して、人体の危険を検知する技術が開示されている。この特許文献２においては、送信波及び受信波の合成波である定在波を検知し、その周波数分布から、距離成分を抽出して測定対象者までの距離を求め、位相成分から、測定対象者の呼吸数及び脈拍を求める。
【先行技術文献】
【特許文献】
【０００５】
【特許文献１】特許第４０９９６５９号公報
【特許文献２】特許第５３７７６８９号公報
【発明の概要】
【発明が解決しようとする課題】
【０００６】
しかしながら、この特許文献１の技術は、マイクロ波のパルス信号を使用しているので、電波を送信してから受信するまでの時間を基に、反射面までの距離を求めているので、上述のように、マイクロ波の速度を考慮すると、道路の上方の高い位置（例えば、１０ｍ）に電波センサを設置しないと、反射波を受信することができず、結局、屋外のように、そのような高い位置に電波センサを設置できる空間的余裕が必要になるという問題点がある。また、屋上又はベランダに多数の洗濯物が吊り下げられている場合に、それらの洗濯物について、個別に水分を検知することは困難であった。
【０００７】
また、特許文献２の技術は、人体の呼吸数及び脈拍は検知することができるものの、人の発汗を検知するものではなかった。
【０００８】
本発明はかかる問題点に鑑みてなされたものであって、測定対象の人の発汗を検知できると共に、人の睡眠状態を検知することができる人の生理的状態の表示装置を提供することを目的とする。
【課題を解決するための手段】
【０００９】
本発明に係る人の生理的状態の表示装置は、
測定対象の人の睡眠状態及び呼吸波形を検知する検知部と、
発光光の波長を変更できるＬＥＤ光源と、
前記検知部が検知した睡眠状態と前記呼吸波形の変動により把握した汗の状態に応じて、前記ＬＥＤ光源の発光光の波長を調整する制御部と、
を有することを特徴とする。
【発明の効果】
【００１０】
本発明によれば、例えば、距離スペクトルの位相変位により、測定対象の身体の微小変位を求め、これにより、人の呼吸数を検知して、測定対象の睡眠状態を検知することができると共に、呼吸波形の全体的な上昇又は下降により、汗が出たこと又は汗が引いたことを検知することができる。
【図面の簡単な説明】
【００１１】
【図１】本発明の実施形態にて使用する定在波レーダーによる状態検知装置の定在波検知部２を含むセンサ１００を示す分解図である。
【図２】（ａ）は同じくその外観図、（ｂ）、（ｃ）は筐体の変形例を示す外観図である。
【図３】同じくその室内設置態様を示す図である。
【図４】人１２０の睡眠状態を示す図であり、（ａ）は、横臥する人１２０の下に、シートセンサーを敷き、心拍と、呼吸と、体動とを検出し、その時間変化を示す図、（ｂ）は、レーダー計測により、距離スペクトルの位相成分からもとめた人１２０の微小変位の時間変化を示す図、（ｃ）は、睡眠の深さを縦軸にとって睡眠状態の変化を示す図である。
【図５】（ａ）は、上述の距離スペクトルの位相変位の推移を示す図、（ｂ）はノンレム睡眠時の微小変位の変化が小さいときの一部を拡大して示す図、（ｃ）は図５（ｂ）の更に一部を拡大して示す図である。
【図６】（ａ）は位相変位の時間経過を示す図、（ｂ）は人１２０の身体の表面の位相の位置のずれを示す図である。
【図７】睡眠の深さの評価態様を示す図である。
【図８】色度図を示す図である。
【図９】本発明の実施形態にて使用する定在波レーダーによる状態検知装置を示すブロック図である。
【図１０】同じく定在波レーダーによる状態検知装置の変形例を示すブロック図である。
【図１１】定在波レーダーの基本構成を示す図である。
【図１２】送信波の波長を示す図である。
【図１３】合成波のパワーを示す図である。
【図１４】フーリエ変換後の図である。
【図１５】合成波のパワーを示す図である。
【図１６】複数個のターゲットに対する定在波レーダーの基本構成を示す図である。
【図１７】目的の成分ｐａ（ｆｄ、０）を示すスペクトル図である。
【図１８】差分検知部の構成を示す波形図である。
【図１９】ターゲットが２個の場合の距離スペクトルを示す図である。
【図２０】合成波のスペクトルの真数部分と虚数部分を示す図である。
【発明を実施するための形態】
【００１２】
以下、本発明の実施の形態について、添付の図面を参照して具体的に説明する。図１は、本発明の実施形態にて使用する定在波レーダーによる状態検知装置の定在波検知部２を含むセンサ１００を示す分解図、図２はその外観図、図３はその室内設置態様を示す図である。このセンサ１００は、定在波検知部２を格納する筐体１０１と、筐体１０１の中に収納されたＬＥＤ光源１１０と、同じく筐体１０１の中に収納され外部との信号の送受を行う通信部１１１とを有する。そして、筐体１０１の前面には、蓋１０２が取り付けられ、定在波検知部２及びＬＥＤ光源１１０等を筐体１０１内に格納するようになっている。図２（ａ）及び図３に示すように、このセンサ１００は、室内の壁の上部等に設置され、斜め下方に向けてレーダー波を照射する。また、センサ１００から発せられるＬＥＤ光は、筐体１０１の後面の透光部を介して、センサ１００の後方に照射され、間接照明で、室内を照らすようになっている。通信部１１１は、定在波検知部２及びＬＥＤ光源と、外部に設置された距離スペクトル演算部、差分検出部及び汗検知部と、制御部等との間で、無線又は有線で、信号の送受を行う。なお、本実施形態においては、筐体１０１内に、定在波検知部２、ＬＥＤ光源１１０及び通信部１１１が格納されているが、後述する距離スペクトル演算部、差分検出部、及び汗検知部等の状態検知に必要な回路部も、筐体１０１内に格納することができる。この場合には、外部との信号の送受を行う通信部１１１を、筐体１０１内に設置する必要がなくなる。また、センサ１００の外観形状は、図２（ｂ）に示すセンサ１０５及び図２（ｃ）に示すセンサ１０６等のように、ＬＥＤ発光源を使用した照明装置として、室内の調度品と調和する任意の形状にすることができる。
【００１３】
定在波検知部２においては、後述するように、周波数掃引されたレーダー波を外部に送信し、測定対象の人１２０の身体の表面で反射した反射波を検出し、送信波及び受信波から合成される定在波を検知する。この合成波である定在波の強度の周波数分布から、距離スペクトルを求め、距離スペクトルの位相成分から人１２０の身体の微小変位を求め、距離スペクトルの振幅から測定対象までの距離及び測定対象の誘電率を求める。
【００１４】
図４は人１２０の睡眠状態を示す図である。図４（ａ）は、横臥する人１２０の下に、シートセンサーを敷き、心拍と、呼吸と、体動とを検出し、その時間変化を示す図である。図４（ｂ）は、レーダー計測により、距離スペクトルの位相成分からもとめた人１２０の微小変位の時間変化を示す図である。図４（ｃ）は、睡眠の深さを縦軸にとって睡眠状態の変化を示す図である。レム（ＲＥＭ）睡眠は眼球運動が早く、浅い睡眠であり、ノンレム（ｎｏｎ−ＲＥＭ）睡眠は眼球運動が遅いか又は停止しており、深い睡眠である。このレム睡眠においては、心拍及び呼吸は早く、乱れるが、ノンレム睡眠においては、心拍及び呼吸が遅い。そこで、周知のように、図１（ａ）に示す心拍及び呼吸の状態から、図１（ｃ）に示す睡眠の深さを検知することができる。このとき、図１（ｂ）に示す距離スペクトルの位相変化から微小変位をみると、レム睡眠のときに微小変位が大きく変化し、ノンレム睡眠のときに微小変位の変化が小さいことがわかる。よって、定在波レーダーにより、人１２０の身体の表面の微小変位を検知することにより、この人１２０のレム睡眠中か又はノンレム睡眠中かの睡眠状態を検出することができ、この微小変位の状態により、ノンレム睡眠中の睡眠の深さも検出することができる。
【００１５】
図５（ａ）は、上述の距離スペクトルの位相変位の推移を示す図である。そして、図５（ｂ）はノンレム睡眠時の微小変位の変化が小さいときの一部を拡大して示す図である。更に、図５（ｃ）は図５（ｂ）の更に一部を拡大して示す図である。図５（ｃ）は、人１２０の胸の皮膚の変位を検知しており、呼吸に伴う胸の上下運動を表している。よって、図５（ｃ）は呼吸波形ということができ、胸の表面が０．５ｍｍの幅で上下している。そして、この呼吸波形は、その谷の位置及び山の位置が経時的に上昇している。即ち、この部分は、呼吸を繰り返しながら、この呼吸を示す呼吸波形が全体的に上昇していることがわかる。
【００１６】
図６（ａ）は位相変位の時間経過を示す。このように、呼吸波形の例えば谷の位置が経時的に上昇するのは、図６（ｂ）に示すように、人１２０の胸の表面に汗が出てきたことにより、身体の表面水位が上がり、レーダー波の反射位置が徐々に上昇し、反射波の位相が変化したからである。また、この位相変位により求まる呼吸波形の例えば谷の位置が経時的に下降するのは、汗が引くことにより、身体の表面水位が下がり、レーダー波の反射位置が徐々に下降したことによる。このように、反射波、即ち定在波の位相の位置がずれることを検知することにより、身体の表面に汗が出てきたこと、又は汗が引いたことを検知することができる。
【００１７】
一方、後述するように、距離スペクトルの振幅から、誘電率を測定することができ、この誘電率の測定により、水分を検知することができる。このため、距離スペクトルの振幅の変化をもとに、誘電率の変動を検知し、この誘電率に基づいて、身体の表面にある水分を検知することができる。これにより、例えば、おねしょに基づく水分の現出を検知することができる。
【００１８】
このように、汗のような微量な水分は、距離スペクトルの位相変位の変化から検知することができ、おねしょのような比較的大量の水分は、距離スペクトルの振幅から誘電率を測定することにより検知することができる。そして、本実施形態においては、制御部が、これらの検出結果を、ＬＥＤ光源１１０から発光されるＬＥＤ光の色の相違として表示する。図８は、国際照明委員会（ＣＩＥ）で規定された色度図（ＣＩＥ１９３１）である。この色度図の曲線部分がスペクトル軌跡であり、このスペクトル軌跡に沿って表示されている数値は波長（ｎｍ）である。また、図中、「×」は、無彩色（白）を示す。図８中、ポイント（i）は、図７に示すレム睡眠の場合、ポイント（ii）はノンレム睡眠の第１段階の場合、ポイント（iii）はノンレム睡眠の第２段階、ポイント（iv）はノンレム睡眠の第３段階、ポイント（v）はノンレム睡眠の最も深い第４段階の場合の色である。また、ポイント（vi）は汗が出てきてそれを検知した場合、ポイント（vii）はおねしょが出てそれを検知した場合、ポイント（viii）は呼吸停止の場合の色である。制御部は、定在波検知部２により検知された定在波を基に、後述する距離スペクトル演算部、差分検出部、汗検知部、呼吸等検知部、睡眠検知部及び水分検知部等で、演算した結果、検知された睡眠状態（第１段階〜第４段階）、汗、おねしょ、及び呼吸停止に夫々対応した波長光で、ＬＥＤ光源１１０からＬＥＤ光を発光させる。これにより、室内においては、検知された人１２０の状態に応じて色が異なる発光がなされる。例えば、レム睡眠の場合は緑色光が室内を照らし、第４段階のノンレム睡眠の場合は濃青色光が室内を照らし、汗が出てきた場合には、黄色光が室内を照らし、呼吸停止の場合は赤色光が室内を照らす。
【００１９】
また、前述の如く、制御部は、距離スペクトルの位相変位データを基に、睡眠検知部が人１２０の睡眠状態を検知したときに、この睡眠状態を、ＬＥＤ光源１１０の異なる発光色の室内間接照明で表示するが、これに限らず、例えば、図５（ｃ）に示す呼吸波形において、その谷部により示される呼気（肺から空気を出すこと）と、その山部により示される吸気（空気を吸い込むこと）とのタイミングに応じて、ＬＥＤ光源１１０の発光色を異ならせ、呼気と吸気のタイミングに合わせて、異なる発光色で室内を間接照明することもできる。
【００２０】
次に、本実施形態の定在波検知部２，距離スペクトル演算部、差分検出部及び汗検知部の構成について、具体的に説明する。図９は、本実施形態の定在波レーダーによる水分検出装置のブロック図である。定在波検知部２は、定在波レーダーモジュールとして構成され、この定在波レーダーモジュールには、２４ＧＨｚ高周波送受信部４が設けられている。この２４ＧＨｚ高周波送受信部４は、２４ＧＨｚ帯ＶＣＯ（電圧制御発振器）と平面アンテナ３とが一体化されたモジュールである。そして、この送受信部４は、ＶＣＯにより平面アンテナ３から電波１を発信し、測定対象としての被反射体からの反射波がアンテナ３に検出される。送受信部４には２個の検波器５ａ、５ｂが内蔵されており、検波器５ａ、５ｂは送信波及び受信波を検波する。
【００２１】
アンテナ３から電波１を送信すると、反射物体がある場合は、アンテナ３に反射波が戻ってきて、周波数が同じで進行方向が異なる波が重なり、合成波である定在波が発生する。ＶＣＯとアンテナ３とを接続する線路上及びアンテナ給電部には、送信信号（進行波）と受信信号（反射波）が混在し、それらの合成で定在波が発生する。この場合に、ＶＣＯに供給するスイープ電圧を、少なくとも発信電波が被反射体に反射して戻ってくるまでの時間は一定に保持する必要があるため、前記スイープ電圧は、ステップ状に変化させる必要がある。そして、ＶＣＯを制御して周波数を順次切り替えることにより、複数の周波数に対する混合波の信号レベルが検波器５ａ、５ｂにより検出される。検波器５ａ、５ｂでは、送信波の電力と、反射波の電力と、定在波によって生じた成分とが検出される。得られた検波信号は、オペアンプ６ａ、６ｂで４００ｋＨｚ以下の必要な帯域が増幅されて、信号処理部８に入力される。
【００２２】
レーダー制御モジュール基板として構成された信号処理部８は、変調信号生成部１０にてＦＭ変調された周波数制御電圧を生成する。この周波数制御電圧はＤＡ変換部９にてアナログ信号に変換され、更に、この周波数制御信号がオペアンプ７を介して増幅された後、２４ＧＨｚ高周波モジュール４のＶＣＯの制御入力に入力される。この周波数制御信号により、ＶＣＯは発信電波の周波数をスイープさせる。
【００２３】
信号処理部８においては、オペアンプ６ａ、６ｂで増幅された検波信号がＡＤ変換部１１に入力された後、距離スペクトル演算部１２に入力される。この距離スペクトル演算部１２は、定在波検知部２が検知した合成波の周波数の強度分布から、その直流成分を除去し、フーリエ変換して、距離スペクトルを求める。この距離スペクトルは、差分検出部１３に入力される。差分検出部１３は、前記距離スペクトルから、基準時の距離スペクトルを減算して、距離スペクトルの差分を演算し、この差分距離スペクトルを経時的に求める。この差分距離スペクトルは、距離演算部１４に入力される。そして、距離演算部１４は、前記差分距離スペクトルの距離成分により測定対象までの距離を求める。そして、判定部１５は、差分距離スペクトルの振幅が、測定対象の誘電率の変化に基づいて変化する経緯を監視し、その振幅の変化に基づいて、測定対象における人の汗の変化を検知する検知部と、この検知部が検知した汗の変化に基づいて、人の周囲の空調状態を制御する制御部とを備えている。
【００２４】
信号処理部８においては、検波信号が、ＡＤ変換部１１によりデジタル信号に変換された後、距離スペクトル演算部１２に入力される。距離スペクトル演算部１２においては、入力される信号は周期関数で、その周期は被反射体からの距離に逆比例しているので、これをフーリエ変換することにより、周期の逆数である周波数を求めることによって、この周波数から被反射体までの距離を求めることができる。また、得られた波形の位相を基に、被反射体の微小変位情報を検出することができる。例えば、２４ＧＨｚの場合は、微小変位は光速を４πｆで除算した値となり、約±３．１２５ｍｍの範囲の変位を検出することができる。このように、検波器５ａ、５ｂから検出された信号を信号処理することにより、被反射体からの距離、被反射体の速度及び変位を演算し、その経時変化を計測することにより、被反射体の状態を検出することができる。
【００２５】
判定部１５では、測定対象の人の汗の変化を検知し、この汗の変化に基づいて人の周囲の空調状態を制御する。この制御信号は、有線又は無線で、外部に出力される。
【００２６】
次に、信号処理部８の構成について更に詳細に説明する。定在波は、図１１に示すように，信号源であるＶＣＯから生成した送信波ＶＴと、各ターゲットからの反射波ＶＲ１，ＶＲ２，ＶＲ３、・・・ＶＲｎとの干渉によって生じる。定在波レーダーは、この定在波を利用することによって、測定対象の人の汗の変化を検知すると共に、各測定対象までの距離ｄ１，ｄ２，ｄ３・・・ｄｎを測定する。
【００２７】
送信波（進行波）は、信号源の振幅をＡ、周波数をｆ（ｔ）、光速をｃ（３×１０８ｍ／ｓ）とすると、下記数式１で表される。但し、周波数ｆ（ｔ）は、図１２に示すように、ｆ０とｆｄで表される。
【００２８】
【数１】
2018122076.tif 000003
【００２９】
ｋ番目のターゲットの距離をｄｋ、ｘ軸上の任意の点における送信波に対する反射波の大きさの比をγｋ（反射係数の大きさ）、位相差をφｋ（反射係数の位相）とすれば、そのターゲットからの反射波は下記数式２にて表すことができる。
【００３０】
【数２】
2018122076.tif 000004
【００３１】
アンテナから検出される検波出力は、合成波になるので、振幅Ｖｃは下記数式３で表され、パワーは振幅の２乗であるので、合成波のパワーは、下記数式４で表される。
【００３２】
【数３】
2018122076.tif 000005
【００３３】
【数４】
2018122076.tif 000006
【００３４】
送信波の大きさは、反射波の大きさより桁違いに大きいので、γｋは１より極めて小さい。そこで、数式４に数式１及び数式２を代入して近似値をとると、下記数式５が得られる。
【００３５】
【数５】
2018122076.tif 000007
【００３６】
この数式５において、｛｝内の第１項は、送信波のパワーを示し、第２項は、反射波のパワーを示し、第３項は、定在波によるパワーの変化分を示す。従来のレーダーは、第２項の反射波を受信して、信号処理を行うが、本発明においては、第３項の信号を信号処理する。このため、第１項目と第２項目を削除するため、合成波パワーｐ（ｆｄ、ｘｓ）をｆｄで微分して、この第１項目及び第２項目を除去する。
【００３７】
ここで、ターゲット（被反射体）の数が１であるとすると、ｎ＝１を数式５に代入して、下記数式６が得られる。この数式６をグラフ化すると、図１３のようになる。即ち、合成波のパワーは、固定値１＋γ２と、周期関数との和となる。この図１３において、周期関数の周波数（周期の逆数）はｃ／２ｄとなり、距離ｄの成分が入る。このため、周期から周波数を求めれば、距離ｄが求まることになる。数式６から、直流成分１＋γ２を除去して、フーリエ変換すると、図１４に示すように、距離スペクトルＰ（ｘ）が求まる。
【００３８】
【数６】
2018122076.tif 000008
【００３９】
先ず、下記数式７に示すフーリエ変換公式に対し、変数の置き換えをし、更に、観測位置を原点として、フーリエ変換すると、下記数式８に示す距離スペクトルが得られる。但し、Ｓａ（ｚ）＝sin（ｚ）／ｚとする。なお、数式８では、直流分がカットされていない。周期のある関数をフーリエ展開すると、その関数に含まれる直流成分と、振動成分（sin、cos）に分解されてしまう。距離スペクトルは、その公式上、下記数式８のように表示される。
【００４０】
【数７】
2018122076.tif 000009
【００４１】
【数８】
2018122076.tif 000010
【００４２】
なお、数式８のA2ｆｗ（１＋Σγｋ２）Sa（２πｆｗ／ｃ）ｘ）は、直流成分であるが、この直流成分は、実際の回路において、コンデンサにより除去される。
【００４３】
この数式８の最後の式で表される距離スペクトルＰ（ｘ）をグラフ図でみると、図１５に示すようになる。そして、数式８の｛｝内の第１項目の直流分を除去し、第３項目をcos成分を複素正弦波（解析信号）に変換して除去し、定在波成分である第２項目の成分を抽出することができる。しかし、図１５に破線にて示すように、数式８の｛｝内の第２項目の成分には、虚数側の信号が漏れ込んでしまう。つまり、この部分の定在波成分には、虚数側の信号が漏れ込んだ値になってしまう。
【００４４】
このような問題点を解消するためには、例えば、図１６に示すように、送信波とその反射波を合成した信号を検出する際に、送信波の波長をλとして、λ／８だけ離隔した２点にて、信号レベルを検出するように構成することができる。つまり、レーダーの進行方向をｘ軸にとった場合に、被反射体であるｎ個（ｎは自然数、図示は２個のみ）のターゲットからの反射波をアンテナが受信し、これを送信波と共に、ｘ軸方向にλ／８だけ離隔した２個のパワーディテクタで検出し、これを信号処理する。このとき、この２個のディテクタが検出したパワーレベルをｐ（ｆｄ，ｘ１）、ｐ（ｆｄ，ｘ２）とすると、ｘ１＝０の位置に置かれたディテクタの出力は、検出パワーを示す数式５に、ｘ１＝ｘｓ＝０を代入して、下記数式９に示すｐ（ｆｄ、０）として求まり、ｘ１＝−λ／８の位置に置かれたディテクタの出力は、検出パワーを示す数式５に、ｘ２＝ｘｓ＝−λ／８を代入して、下記数式９に示すｐ（ｆｄ、−λ／８）として求まる。この数式９に示すように、λ／８だけ離隔した2点で定在波を検出することにより、各位置（０，−λ／８）に置かれたディテクタの出力の定在波成分に、cosとsinの直交成分が得られ、これにより、虚像信号を消去することができ、虚像側から漏れ込む信号の影響を解消することができる。即ち、cosとsinの直交成分（Ｘ軸成分とＹ軸成分）から合成されるベクトルが求める解析信号である。通常、虚軸側の信号は測定できないのであるが、−λ／８の位置に、虚軸側の信号が計測できることになり、ベクトル合成信号を形成できる。このベクトルの回転速度が周波数になるので、本実施形態では、この周波数と位相を解析することになる。
【００４５】
【数９】
2018122076.tif 000011
【００４６】
この数式９におけるｘｓ＝０の位置のディテクタの出力のうちの定在波成分をａ、ｘｓ＝−λ／８の位置のディテクタの出力のうちの定在波成分をｂとすると、ａ、ｂは下記数式１０にて表される。そして、数式８の３項からなる最後の式を下記数式１１に基づいて置き換えをすると、下記数式１２及び数式１３が得られる。即ち、数式１０が求めるＸ軸、Ｙ軸（実信号、虚軸信号）を実信号に変換された形に置き換えることが可能になる。数式１３は、まさに、時間方向の信号と、回転軸での信号を表現しているが、結局、この数式１３により、回転する解析信号を計算できることがわかる。
【００４７】
【数１０】
2018122076.tif 000012
【００４８】
【数１１】
2018122076.tif 000013
【００４９】
【数１２】
2018122076.tif 000014
【００５０】
【数１３】
2018122076.tif 000015
【００５１】
数式１２の右辺のＰＤＣは直流成分であり、ｍ（ｆｄ）cos（θ（ｆｄ）−４π（ｆ０＋ｆｄ）／ｃ・ｘｓ）は周期的に変化する定在波成分である。この定在波成分は、前述のごとく、ｘｓ＝０の位置の成分ａと、ｘｓ＝−λ／８の位置の成分ｂとの合成成分ａ＋ｊｂは、sinとcosとの直交成分となり、ａとｂとから解析信号を合成することにより、不要の信号（図１５に示す虚数側から漏れ込んだ信号）による影響が除去される。よって、この値（数式１３の信号）を解析することにより、図１７に示す目的の成分ｐａ（ｆｄ，０）が得られる。
【００５２】
而して、数式１３の解析信号において、反射係数γｋの大きさに依存して、検出される信号強度が変化する。換言すれば、解析信号の信号強度の時間的推移を測定すれば、強度の変化が生じた場合に、その要因の一つとして、反射係数γｋの変化があったことを挙げることができる。即ち、周波数分布の各周波数のγｋ（反射係数の大きさ）が変化することで生じる信号強度の変化が、測定対象の状態の変化を示している。
【００５３】
誘電率が異なる２物質の境界面での反射係数γは、その誘電率を、ε１、ε２とすると、下記数式１４にて表される。
【００５４】
【数１４】
2018122076.tif 000016
【００５５】
このように、境界面での反射強度は、境界面を形成している各媒体が有する固有の比誘電率の差によって決定され、反射波形の極性も比誘電率の大小関係により決まる。よって、電波の反射強度は、反射係数γの大きさにより異なり、反射係数γは、誘電率により異なるため、反射面の物質の変化により、反射強度が変化する。例えば、水は誘電率が高く、電波の反射強度が大であるため、皮膚からの反射との識別が可能であり、また反射強度の変化により水膜の形成状況が分かるため、薄く濡れた状態と厚い水膜が形成された状態の区別が可能である。
【００５６】
誘電率（比誘電率）は、例えば、水が４．２、絹が１．３〜２、空気が１．００、塩が３．０〜１５．０、水が８０、木綿が３〜７．５、雪が３．３、ガラスが３．７〜１０．０である。水は誘電率が高く、電波の反射強度が大であるため、水分を含むアスファルト又はコンクリートと、乾燥状態のアスファルト又はコンクリートとの判別が可能であり、また反射強度の変化により水膜の形成状況が判別できるため、薄く濡れた状態と厚い水膜が形成された状態の区別が可能である。従って、道路上の雨の観測の場合には、その反射強度の変化を監視することにより、路面状態について、「乾燥」、「湿潤」、「冠水」のいずれであるかを判定することが可能である。そして、計測箇所が濡れ始めた状態（浸水前、雨の降り始め）で、リセットして、その後監視記録することが可能であり、しかも濡れはじめの状態で零点調整（オフセット調整）を自動的に行えば、定期的な調整の必要がなくなる。
【００５７】
なお、電波センサは微弱電波を使用しているため、無線局の申請は不要である。また、定在波レーダーの場合は、衣服及び布団を通して、衣服に包まれた人体にて直接反射するので、人体の表面の湿潤の状況を、布団がかけられていても、人体の湿潤の状況を検知することができる。
【００５８】
上述のごとく、距離スペクトル演算部１２が求めた距離スペクトルの振幅の強度の変化により、測定対象の湿潤の状況の変化を検知することができるが、この距離スペクトルには、水分変化がない物体からの反射波に起因する定在波の距離スペクトルが含まれている。そこで、差分検出部１３は、測定された距離スペクトルから、基準時の距離スペクトルを削除して、差分距離スペクトルを演算する。図１８（ａ）は、距離スペクトル演算部１２が求めた距離スペクトルＰ（ｘ）を示す。この測定結果には、水分を含む測定対象は存在せず、環境からの反射波に起因するものが求められている。そこで、特定の基準時に得られた距離スペクトルをＰ０（ｘ）として、以後の各サンプリング時点に得られた距離スペクトルＰ（ｘ）から、基準時の距離スペクトルＰ０（ｘ）を減算する。即ち、各サンプリング時点で得られた距離スペクトルＰ（ｘ）に対し、図１８（ｂ）に示す−Ｐ０（ｘ）を加算する。このため、差分検出部１３からは、水分を含む測定対象がない場合は、図１８（ｃ）に示すように、０信号が得られる。そこで、あるサンプリング時点で、測定対象に水分が含まれた場合には、図１８（ｄ）に示すように、その水分の距離スペクトルの振幅が現れる。このサンプリング時点の距離スペクトルに対しても、図１８（ｂ）の基準スペクトル−Ｐ０（ｘ）を加算すると、図１８（ｅ）に示すように、Ｐ（ｘ）−Ｐ０（ｘ）の距離スペクトルが得られ、この距離スペクトルには、水分に起因するピーク強度の振幅のみが現れる。このようにして、差分検出部１３にて、距離スペクトルの差分をとることにより、測定対象の環境からの反射の影響を低減して、水分の変化に起因する距離スペクトルの振幅の強度を求めることができる。
【００５９】
なお、測定対象が２個の場合の距離スペクトルは、図１９に示すように、ｘｓ＝０のパワーｐ（ｆｄ、０）とｘｓ＝−λ／８のパワーｐ（ｆｄ，−λ／８）との合成波から直流分を除去して、フーリエ変換することにより、距離に対応する周波数が得られ、距離ｄ１，ｄ２が求まる。
【００６０】
図２０は合成波の真数のスペクトルと、虚数のスペクトルを示す図である。電波の速度ｃは、約３０万ｋｍ／秒である。発信波の周波数のスイープを、７５ＭＨｚ幅（ｆｗ）で行った場合、この７５ＭＨｚの波長は、ｃ／ｆｗ＝４ｍである。しかし、波形を標本化するためのスイープは、往復で４ｍのため、行きはその半分の２ｍとなる。この２ｍを１周期と呼ぶ。そこで、スイープ幅７５ＭＨｚで２０ｍを計測した場合、１０周期を計測することになる。スイープ時間が２５６μｓであるとすると、観測する波形の周波数は、１０／２５６μｓ＝３９ｋＨｚとなる。同様に、２００ｍを計測した場合、１００周期であるので、１００／２５６μｓ＝３９０ｋＨｚとなる。そして、図２０に示す検出されたスペクトルの周波数のレベルは反射の強さを示し、周波数は距離に置き換えられる。よって、図１９に示すように、フーリエ変換して３９ｋＨｚのところにピークが現れると、それは、距離ｄ１＝１０ｍの位置からの反射波であることがわかり、３９０ｋＨｚのところにピークが現れると、それは、距離ｄ２＝１００ｍの位置からの反射波であることがわかる。このようにして、ディテクタの合成波の検出パワーｐａ（ｆｄ）を微分して直流成分を除去し、フーリエ変換すると、測定対象までの距離を求めることができる。
【００６１】
スイープ幅が２００ＭＨｚの場合、１周期が０．７５ｍになるので、１０ｍの計測は１０／０．７５＝１３．３周期を観測することになり、スイープ時間が２５６μｓである場合は、１３．３／２５６＝５１．９ｋＨｚとなる。つまり、スイープ幅が２００ＭＨｚの場合は、５１．９ｋＨｚにピークが現れた場合に、被反射体までの距離が１０ｍと観測される。従って、スイープ幅を調整し、スイープ時間を調整することにより、検波出力の周波数を調整することができ、電波法の規制により帯域幅が制限されているので、一般的には、スイープ時間を可変とすることにより、被反射体までの距離を測定する。
【００６２】
次に、微小変位計測について説明する。数式８において、位相に着目すると、ｋ番目のターゲットに対する位相Ψｋは、下記数式１５の第１式のsinの角度として求まり、φｋは初期位相であるから変化分では消えるので、距離ｄｋの変化分をΔｄｋ、位相の変化分をΔΨｋとすると、数式１４の第２式が得られ、これを変形して、下記数式１６が得られる。
【００６３】
【数１５】
2018122076.tif 000017
【００６４】
【数１６】
2018122076.tif 000018
【００６５】
この数式１６から、距離ｄの微小変位が求まる。周波数が２４ＧＨｚの場合は、±３．１２５ｍｍの変位を検知することが可能となる。
【００６６】
以上のように、被反射体からの反射波を送信波に合成した定在波の分析により、被反射体の距離及び微小変位を計測することができる。この計測結果を経時的に把握すれば、被反射体の距離、速度及び変位を計測することができ、結局、被反射体の動きを計測できる。従来のレーダーであると、１〜２ｍ以下は距離の測定が困難であったのに対し、本発明により、０ｍに近い至近距離から、２００ｍの遠距離迄、距離の測定が可能である。また、本発明の場合は、微小変位の検知が可能であり、相対変位分解能は０．０１ｍｍにも及ぶ。しかも、定在波レーダーの場合は、衣服及びカーテン等を通して、測定対象の水分を検知することができ、測定対象との間の距離の微小な変動を検知することができる。
【００６７】
なお、前述の如く、本発明は、数式１３で示す距離スペクトルのピーク強度が、反射係数γｋの大きさに依存して変化し、測定対象にて水分が増大すると、水分の誘電率εが高いため、数式１４で示す反射係数γｋが上昇し、距離スペクトルのピーク強度が上昇することにより、水分を検知することを測定原理とする。このように、ピーク強度を見ているので、測定対象が複数ある場合でも、水分の検知は容易である。しかし、この測定対象が多数となり、しかも、各測定対象の相互間の間隔が短いと、例えば，図１９に示す複数個（図示例は２個）の距離スペクトルが相互に重なりあい、各距離スペクトルを分離できなくなる可能性がある。この場合、各測定対象について、上述の微小変位の測定に必要な位相差を求めることができなくなる。このような場合は、２個の距離スペクトルに対し、帯域通過フィルタをかけて、分離することができる。
【００６８】
図１０は、この場合の実施形態を示すブロック図である。差分検出部１３から出力された差分距離スペクトルは、この帯域通過フィルタ１６に入力される。この帯域通過フィルタ１６は、差分検出部１３の差分距離スペクトルからその複数のピーク位置に対応する中心周波数の中間の周波数にて最小ゲインとなる信号を出力するノッチ型の帯域通過フィルタである。この帯域通過フィルタ１６から出力された差分距離スペクトルは、ピーク位置間で分離された複数個の差分距離スペクトルとなる。これら各差分距離スペクトルは、距離演算部１４に入力され、位相差から、微小変位を求めることが可能となる。
【００６９】
次に、本発明の実施形態に係る定在波レーダーによる状態検知装置の動作について説明する。先ず、本発明の定在波レーダーによる状態検知装置の定在波検知部２及びＬＥＤ光源１１０を組み込んだセンサ１００を、室内の壁の上部に、その送信波の送信方向を斜め下方に向けて設置する。そして、定在波検知部２により、送信波と受信波との合成波である定在波を検知する。この定在波の検出信号は、ＡＤ変換部１１を介して、距離スペクトル演算部１２に入力され、距離スペクトルが演算される。そして、この距離スペクトルから、差分検出部１３にて、差分距離スペクトルが求められる。距離演算部１４は、この差分距離スペクトルから、前述の如くして、センサと測定対象との間の距離を演算する。その結果、この差分距離スペクトルのピーク位置は、図１８（ｄ）に示すように、センサと、測定対象との間の距離（例えば、２．５ｍ）であることがわかる。そして、判定部１５は、この２．５ｍの位置にピーク位置をもつ差分距離スペクトルについて、そのピーク強度の経時変化を監視する。そうすると、判定部１５は、このピーク強度が上昇した場合は、測定対象の水分量変化により、誘電率が変化し、反射強度が増大したことに起因するものであることを検知することができ、このピーク強度が増大した時点を、水分量が増大した時点であると判定することができる。なお、レーダーによる反射波と送信波との定在波により、水分を検出するので、レーダーは衣服を透過するため、衣服に包まれた身体上の水分及び身体内の異物も検知することができる。
【００７０】
また、測定対象が距離ｄ１及び距離ｄ２にある場合、これらの測定対象に対し、センサからレーダー波が照射され、センサにて、測定対象(ｄ１，ｄ２)からの反射波が検出される。そして、差分検出部１３は、距離ｄ１の距離スペクトルに対し、ある特定の時点の距離スペクトルを基準時の距離スペクトルとし、一定のサンプリング時点毎に、得られた距離スペクトル（図１８（ａ））から、基準時の距離スペクトル（図１８（ｂ））を減算し、差分距離スペクトル（図１８（ｃ））を演算する。その結果、基準時の距離スペクトルＰ０（ｘ）からの変化がなければ、各サンプリング時点毎に得られた差分距離スペクトルは、図１８（ｃ）に示すように、０となる。そして、図１８（ｄ）に示すように、測定対象に水分が存在する場合は、その水分に起因するスペクトルを含む距離スペクトルＰ（ｘ）が得られる。その結果、図１８（ｅ）に示すように、差分距離スペクトルＰ（ｘ）−Ｐ０（ｘ）には、水分に起因する距離スペクトルのみが出現する。従って、判定部１５は、この差分距離スペクトルを監視し、差分距離スペクトルが０になった時点を乾燥完了時点と判断することができる。このようにして、測定対象の水分の状態を、個別に検知することができる。
【００７１】
誘電率は、衣類の繊維を構成するポリエチレンが２．３、木綿が３．０、水が８０と、衣類は水との誘電率差が大きいので、距離スペクトルのピーク強度が各衣類の湿潤状態で異なるため、測定対象の水分状態を検知することができる。そして、本実施形態においては、定在波により距離計測が可能であるため、距離が異なる複数の測定対象の水分状態を夫々個別に計測することが可能である。このようにして、ベッド上に横臥した人１２０がおねしょした場合に，それを検知することができ、迅速に衣服を取り替えることができる。
【００７２】
そして、本実施形態においては、差分検出器１３が検出した差分距離スペクトルの位相変位から、人１２０の身体の表面の微小変位を検知することができる。この位相変位から検出される人１２０の微小変位により、図５及び図６に示す呼吸波形が得られ、図４に示すように、人１２０の呼吸数を検知し、この呼吸数の変動の大きさから、睡眠状態がレム睡眠（呼吸が速い、浅い睡眠）であるか、又はノンレム睡眠（呼吸が遅い、深い睡眠）であるかを検知することができ、更に、睡眠状態の深さの段階（第１段階〜第４段階）を検知することができる。また、図５及び図６に示すように、ノンレム睡眠時に、呼吸波形の谷部が徐々に上昇することを検知した場合に、これを人１２０から汗が出てきたと判定することができる。つまり、人１２０から汗が出てきた場合に、レーダー波の反射位置が徐々に上昇し、呼吸に起因する人１２０の身体の表面の上下動の基準となる位置が連続的に上昇する。例えば、図５（ｃ）に示す期間において、呼吸波形の基準位置（波形の谷部、山部又は中心位置）が約０．５ｍｍ上昇するが、この上昇変化分Δｄが汗に起因するといえる。また、図６（ａ）に示すように、この呼吸波形の基準位置が徐々に下降している期間は、この期間に人１２０の身体から汗が引いたことがわかる。このようにして、位相変位の変化により、呼吸数に基づく睡眠状態と、呼吸波形の全体的なかつ緩やかな上昇又は下降による汗の状態とを検知することができる。
【００７３】
そして、本実施形態においては、睡眠状態、汗の検知、おねしょの検知又は呼吸停止等の人１２０の状態を検知したときに、その状態を、ＬＥＤ光源１１０からの発光色を変更することにより、室内の間接照明光の変更として、表示することができる。
【産業上の利用可能性】
【００７４】
本発明によれば、定在波レーダーにより、定在波の距離スペクトルの位相変位から、測定対象の人の発汗（微小な水分の発生）を検知することができ、更に呼吸数の検知から、人の睡眠状態を検知することができるので、人の生活状態の改善若しくは向上又は医療技術の進歩に多大の貢献をなす。また、この状態検知の結果を、ＬＥＤ光源の発光光の色により、表示することとすれば、人の生理的状態を明瞭に把握することができる。
【符号の説明】
【００７５】
２：定在波検知部
３：アンテナ
４：高周波モジュール
８：信号処理部
１２：距離スペクトル演算部
１３：差分検出部
１４：距離演算部
１５：判定部
１００、１０５，１０６：センサ
１１０：ＬＥＤ光源
【図１】
2018122076.tif 000019
【図２】
2018122076.tif 000020
【図３】
2018122076.tif 000021
【図４】
2018122076.tif 000022
【図５】
2018122076.tif 000023
【図６】
2018122076.tif 000024
【図７】
2018122076.tif 000025
【図８】
2018122076.tif 000026
【図９】
2018122076.tif 000027
【図１０】
2018122076.tif 000028
【図１１】
2018122076.tif 000029
【図１２】
2018122076.tif 000030
【図１３】
2018122076.tif 000031
【図１４】
2018122076.tif 000032
【図１５】
2018122076.tif 000033
【図１６】
2018122076.tif 000034
【図１７】
2018122076.tif 000035
【図１８】
2018122076.tif 000036
【図１９】
2018122076.tif 000037
【図２０】
2018122076.tif 000038
【手続補正書】
【提出日】平成29年6月28日(2017.6.28)
【手続補正１】
【補正対象書類名】図面
【補正対象項目名】図２
【補正方法】変更
【補正の内容】
【図２】
2018122076.tif 000039
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
測定対象の人の呼吸波形及び呼吸数を求める呼吸把握部と、
発光光の波長を変更できるＬＥＤ光源と、
前記呼吸把握部が求めた前記呼吸数の変動の大きさから、睡眠状態がレム睡眠かノンレム睡眠かを判定し、その睡眠状態の深さの段階を判定する睡眠状態判定部と、
前記呼吸波形の上昇又は下降により、前記測定対象の人から汗が出たか、又は引いたかを把握する汗把握部と、
前記睡眠状態及び前記汗の状態を、前記ＬＥＤ光源の発光色を変更することにより表示するために、前記ＬＥＤ光源の発光光の波長を調整する制御部と、
を有することを特徴とする人の生理的状態の表示装置。
【手続補正２】
【補正対象書類名】明細書
【補正対象項目名】０００９
【補正方法】変更
【補正の内容】
【０００９】
本発明に係る人の生理的状態の表示装置は、
測定対象の人の呼吸波形及び呼吸数を求める呼吸把握部と、
発光光の波長を変更できるＬＥＤ光源と、
前記呼吸把握部が求めた前記呼吸数の変動の大きさから、睡眠状態がレム睡眠かノンレム睡眠かを判定し、その睡眠状態の深さの段階を判定する睡眠状態判定部と、
前記呼吸波形の上昇又は下降により、前記測定対象の人から汗が出たか、又は引いたかを把握する汗把握部と、
前記睡眠状態及び前記汗の状態を、前記LED光源の発光色を変更することにより表示するために、前記ＬＥＤ光源の発光光の波長を調整する制御部と、
を有することを特徴とする。